(57)【要約】【課題】外管内部の窒素ガスの減少により発光管内部の金属蒸気圧が上昇するのを抑制し、従来よりもランプ点灯時の寿命特性（ライフ特性）の変化が小さく、良好な性能の金属蒸気放電ランプを提供する。【解決手段】金属蒸気放電ランプにおいて、外管８内部に充填された窒素ガスと触れる配線部材などの金属材料、すなわちスリーブ支持板３ａ、３ｂ、電力供給線４ａ、４ｂ、ステム線５ａ、５ｂおよびゲッター７の外枠部分を、いずれも外管内部の窒素ガス雰囲気に対して化学的に安定な材料、一例としてステンレスＳＵＳ３０４を用いて作製する。【選択図】　図３
2004006252.tif 000002
【特許請求の範囲】
【請求項１】
水銀、希ガスおよび発光金属が封入された発光管が、窒素ガスとともに外管に封入された構成を備えた金属蒸気放電ランプであって、
外管内には、発光管に電力を供給するための配線を含む金属部材が配されており、当該金属部材のうち、ランプの定常点灯時の温度条件下で前記外管内の窒素ガス雰囲気中に曝される金属部材には、窒素と反応する金属材料が使われていない構成であることを特徴とする金属蒸気放電ランプ。
【請求項２】
前記金属蒸気放電ランプにおいて、前記窒素または窒素化合物と反応する金属材料は、鉄、ニッケルメッキした鉄、または鉄とニッケルの合金、の中から選ばれたもので構成されていることを特徴とする請求項１に記載の金属蒸気放電ランプ。
【請求項３】
前記金属蒸気放電ランプにおいて、石英製の部材が前記窒素ガス雰囲気中に曝されている構成を有することを特徴とする請求項１に記載の金属蒸気放電ランプ。
【請求項４】
前記石英製の部材は、前記発光管、前記発光管を覆うスリーブ、前記外管のうち少なくとも一つであることを特徴とする請求項３に記載の金属蒸気放電ランプ。
【請求項５】
前記金属蒸気放電ランプにおいて、
前記発光管は内部が中空に形成されるとともに外部と連通する細管部を備え、当該細管部には給電体として、導電性サーメットが挿設されており、
導電性サーメットと発光管の細管部との間には、シリカ成分を含むガラスフリットが流し込まれて発光管内部が封止されている構成を有することを特徴とする請求項１に記載の金属蒸気放電ランプ。
【請求項６】
水銀、希ガスおよび発光金属が封入された発光管が、窒素ガスとともに外管に封入された構成を備えた金属蒸気放電ランプであって、
外管内には、発光管に電力を供給するための配線を含む金属部材が配されており、当該金属部材は、前記外管内に封入された前記窒素ガスに対して化学的に安定な形態で構成されていることを特徴とする金属蒸気放電ランプ。
【請求項７】
前記金属蒸気放電ランプにおいて、前記金属部材は、ステンレス、モリブデン、マンガン、タンタル、タングステン、チタンの中から選ばれたもので構成されていることを特徴とする請求項６に記載の金属蒸気放電ランプ。
【請求項８】
前記金属蒸気放電ランプにおいて、石英製の部材が前記窒素ガス雰囲気中に曝されている構成を持つことを特徴とする請求項６に記載の金属蒸気放電ランプ。
【請求項９】
前記石英製の部材は、前記発光管、前記発光管を覆うスリーブ、前記外管のうち少なくとも一つであることを特徴とする請求項８に記載の金属蒸気放電ランプ。
【請求項１０】
前記金属蒸気放電ランプにおいて、
前記発光管は内部が中空に形成されるとともに外部と連通する細管部を備え、当該細管部には給電体として、導電性サーメットが挿設されており、
導電性サーメットと発光管の細管部との間には、シリカ成分を含むガラスフリットが流し込まれて発光管内部が封止されている構成を有することを特徴とする請求項６に記載の金属蒸気放電ランプ。
【発明の詳細な説明】
【０００１】
【発明の属する技術分野】
本発明は、メタルハライドランプ等の金属蒸気放電ランプに関し、特に、外管内部に窒素ガスを封入した金属蒸気放電ランプに関する。
【０００２】
【従来の技術】
一般に、金属蒸気放電ランプは、水銀、希ガスおよび発光金属を封入した発光管を、窒素ガスを封入した外管の内部に配置し、発光管の電極と外管の口金とを配線部材で電気的に接続した構成を有する。窒素ガスは、不活性の充填ガスとして用いられているが、ランプ点灯時の発光管を適切な温度に保つ役目も有する。また配線部材は、外管内部における電流供給線、ステム線等からなり、外管内部で発光管を担持しつつ、必要に応じて発光管を囲繞するスリーブを保持するためにも用いられている。これらの配線部材には、ランプ点灯時の高温に耐えられる特性が要求され、一般的に鉄を主体とする金属部材（鉄、表面にニッケルメッキを施した鉄、または鉄とニッケルの合金等）が用いられている。
【０００３】
【特許文献１】
特開２００２−１６４０１４号公報
【発明が解決しようとする課題】
ところで本願発明者によれば、従来の金属蒸気放電ランプは、長期間にわたる使用のうちに、外管内部の窒素ガス圧が減少するといった問題が見られることが分かった。
このように窒素ガス圧が減少すると、外管内部の充填ガスとしての機能が失われていくので、ランプ点灯時における発光管の温度調節が適切に行われず、発光管内部の蒸気圧が上昇して寿命特性が変化してしまうという問題が生じやすくなる。また、窒素ガスが失われると外管内圧が低下することから、ランプに高圧パルスが印加されるときや、寿命末期などに起こる発光管のリーク不点灯時に、外管内部の配線間、いわゆる異種マウント間でアーク放電やグロー放電が発生する可能性も考えられ、絶縁破壊に繋がる恐れも想定される。
【０００４】
これはランプの点灯性能を著しく損なう問題であり、早急に解決すべき課題である。
本発明はこのような問題に鑑みてなされたものであって、外管内部の窒素ガスの減少によって発光管内部の金属蒸気圧が上昇するのを抑制し、従来よりもランプ点灯時の寿命特性（ライフ特性）の変化が小さく、良好な性能の金属蒸気放電ランプを提供することを目的とする。
【０００５】
【課題を解決するための手段】
上記課題を解決するために、本願発明者らは鋭意検討および研究を重ねた結果、従来において長期間にわたるランプ使用時に外管内部の窒素ガスが減少する主な原因は、外管内部に使用した金属部材、具体的には鉄、表面にニッケルメッキを施した鉄、または鉄とニッケルの合金のうちの少なくともいずれかの金属部材が、高温の窒素ガス雰囲気中で化学反応を生じ、窒化鉄を生じるためであることを見出した。ここで言う化学反応には、詳しくはランプ点灯時における外管内部の窒素ガス雰囲気の温度が３５０℃を超える場合において、外管内部に含まれる窒素成分と、不純物として混入した水素成分が反応してアンモニアを生じ、このアンモニアに対して金属部材が反応し窒化鉄を生じる反応過程を含んでいると考えられる。
【０００６】
そこで本発明は、内部に窒素ガスが封入されている外管内に、水銀、希ガスおよび発光金属が封入された発光管を備えた金属蒸気放電ランプであって、窒素と反応する金属部材を、前記外管内のランプ定常点灯中における温度が３５０℃を超える窒素ガス雰囲気中に露出される箇所に設けていない構成とした。
このような構成によれば、従来ではランプ点灯時の外管内部における窒素ガス雰囲気の温度が３５０℃を超えると、外管内部に含まれる窒素成分と不純物として混入した水素成分とが窒素化合物であるアンモニアとなり、このアンモニアが金属部材と反応していたが、本願発明ではアンモニアが生じやすい３５０℃より高温の窒素ガス雰囲気中に金属部材を露出していないため、前記反応の発生を回避して窒素ガスの減少が抑制される。したがって本発明では、長期間ランプを使用しても窒素ガス圧が保たれ、異種マウント間でアーク放電やグロー放電などが発生したり、絶縁破壊が生じるのが抑制される。これにより、ランプの寿命特性（ライフ特性）を長期間にわたって良好に発揮することが可能となる。
【０００７】
また本発明では、外管内部に窒素ガスが良好に保たれるので、発光管の温度調節が適切になされ、発光管の過熱が回避される。ゆえに、ランプ点灯時に発光管内部の蒸気圧の上昇が抑えられることとなり、この蒸気圧の上昇に伴う特性変化が防止できる。
このような本発明は、前記金属部材が鉄、ニッケルメッキした鉄、または鉄とニッケルの合金の中から選ばれたものであるときに特に効果が高い。
【０００８】
また本発明は、内部に窒素ガスが封入された外管内に、発光管と、この発光管に電力を供給するための配線部材を含む金属部材が収納された金属蒸発放電ランプであって、前記金属部材は、窒素または窒素化合物に対して、３５０℃を超える高温条件下で化学的に安定な形態で構成されているものとすることができる。このような構成によっても、上記と同様の効果が奏される。
【０００９】
なお前記金属部材は、具体的にはステンレス、モリブデン、マンガン、タンタル、タングステン、チタンの中から選ばれたもので構成することができる。このうちモリブデン、マンガン、タンタル、タングステン、チタンは、それぞれ金属単体が化学的に安定しており、高温窒素ガス中においても安定性が高い。また、ステンレスは表面に酸化物からなる不働態層が形成されることから、高温窒素ガスに対して化学的に安定した材料として用いることができる。
【００１０】
【発明の実施の形態】
１．実施の形態１
１−１．金属蒸気放電ランプの構成
図１は、本実施の形態１にかかる出力２５０Ｗの金属蒸気放電ランプの構成を示す部分的な正面断面図である。
【００１１】
当図に示すように、本金属蒸気放電ランプは、丸底円筒型外管８の内部において、耐熱ガラス製ステム６から、アルミナセラミック製の本管部１０・細管部１１ａ、１１ｂを持つ発光管１が、配線部材であるステム線５ａ、５ｂ、および電力供給線４ａ、４ｂと接続された構成を有する。当該ランプのサイズは、一例として全長２２０ｍｍ、直径５０ｍｍである。もちろん本発明はこのサイズおよび外管形状に限定されるものではない。
【００１２】
外管８内部には窒素ガスが約３５０Ｔｏｒｒで封入されており、口金９および外管８と口金９の間に流し込まれたフリットガラスによって外管８の開口部が封止されている。電流供給線４ａには、外管８内部の水分系不純物ガスを主として吸着するためのアルミジルコン製ゲッター７が備えられている。ゲッター材料としてはこの他のものを使用してもよい。
【００１３】
本金属蒸気放電ランプの光源である発光管１は、紫外線の放出をカットし、かつ発光管１を保温する効果を持つ円筒型石英ガラス製スリーブ２の内部に配置されている。スリーブ２はランプ点灯時に発光管１内部を適切な蒸気圧に保ち、発光管１の万一の破損時に備えて、外管８が割れて飛散するのを防止する緩衝部材の役目も兼ねている。
【００１４】
このようなスリーブ２は、長手方向の両端部を円盤状スリーブ支持板３ａ、３ｂで電力供給線４ａに保持されている。
図２は、発光管１の構成を示す発光管断面図である。当図に示す発光管１は、内部に放電空間を形成する本管部１０の両端に、本管部１０と連通する細管部１１ａ、１１ｂを配した構成を有する。発光管１のサイズは、一例として全長が６６ｍｍ、給電体１４ａ、１４ｂを含む全長が８８．０ｍｍである（詳しくは本管部が外径１６．６ｍｍ、長さ２９．４ｍｍであり、細管部が内径１．４ｍｍ、外径４．４ｍｍ、長さ１８．３ｍｍである）。
【００１５】
本管部１０の放電空間には、ランプ始動用のアルゴンなどの希ガス、水銀、およびヨウ化ジスプロシウムＤｙＩ３、ヨウ化ツリウムＴｍＩ３、ヨウ化ホルミウムＨｏＩ３、ヨウ化第一タリウムＴｌＩ、ヨウ化ナトリウムＮａＩなどの金属ハライドからなる発光物質が封入されている。
細管部１１ａ、１１ｂのそれぞれには、給電体として、電極コイル１２ａ、１２ｂ、電極ピン１３ａ、１３ｂ、および電極支持体をなす導電性サーメット１４ａ、１４ｂが挿入されている。電極コイル１２ａ、１２ｂは電極ピン１３ａ、１３ｂの先端に装着され、本管部１０の放電空間内で互いに対向するように配置される。電極ピン１３ａ、１３ｂはタングステンからなり、サイズは外径０．７１ｍｍ、長さ５．２ｍｍである。導電性サーメット１４ａ、１４ｂは電極ピン１３ａ、１３ｂを保持するように接続され、サイズは外径１．３ｍｍ、長さ３０ｍｍである。
【００１６】
なおここで言う導電性サーメットとは、例えばモリブデン等の耐熱性金属粉末とアルミナ粉末とを混合・焼結したものであり、その熱膨張係数はアルミナとほぼ等しく（７．０×１０−６／Ｋ）、本管部１０、細管部１１ａ、１１ｂの熱膨張係数に合わされている。
また細管部１１ａ、１１ｂには、導電性サーメット１４ａ、１４ｂがそれぞれ挿入された状態で、シリカ系成分を有するガラスフリット１５ａ、１５ｂが流し込まれており、これにより本管部１０の内部が封止されている。ガラスフリット１５ａ、１５ｂはその一部が本管部１０内に露出する程度に細管部１１ａ、１１ｂ全体にわたって流し込まれており、本管部１０の密封性が高められている。
【００１７】
ここで、本実施の形態１の金属蒸気放電ランプでは、その主たる特徴として、外管８内部に充填された窒素ガスと触れる配線部材などの金属部材、すなわちスリーブ支持板３ａ、３ｂ、電力供給線４ａ、４ｂ、ステム線５ａ、５ｂおよびゲッター７の外枠部分が、いずれも外管内部の窒素ガス雰囲気に対して化学的に安定な材料、ここでは一例として１８−８ステンレス（ＳＵＳ３０４）を用いて作製されている。これにより本実施の形態１では、窒素と反応する金属部材が、前記外管内のランプ点灯中における温度が３５０℃を超える窒素ガス雰囲気中に露出される箇所に設けていない構成となっている。
【００１８】
また、この本外管８内部に充填された窒素ガスと触れる配線部材などの金属材料、すなわちスリーブ支持板３ａ、３ｂ、電力供給線４ａ、４ｂ、ステム線５ａ、５ｂおよびゲッター７の外枠部分の構成は、言い換えればいずれも外管内部の窒素ガス雰囲気に対して化学的に安定な材料からなる。つまり本実施の形態１では、外管内部の窒素ガス雰囲気中に、鉄、ニッケルメッキした鉄、鉄とニッケルの合金のように、窒素ガスに対して反応性を呈する材料を露出させない構成となっている。
【００１９】
このような構成による本発明の詳細な効果は以下の通りである。
１−２．本実施の形態の効果
上記構成を持つ本実施の形態１の金属蒸気放電ランプによれば、ランプ点灯時の３５０℃以上に達する外管８の内部において、スリーブ支持板３ａ、３ｂ、電力供給線４ａ、４ｂ、ステム線５ａ、５ｂおよびゲッター７の外枠部分の金属部材の構成が、外管８の内部に封入された窒素ガス雰囲気に対して化学的に安定であるため、従来のように窒素ガスに起因して化学反応するのが抑制されるので、発光管１の過熱が回避される。具体的には、ステンレス鋼の表面が空気に触れること等によって、化学的に安定な耐食性酸化被膜（不働態層）が形成される性質があることから、高温条件下で窒素ガスに起因する化学反応の発生が回避され、外管８の内部の窒素ガスの減少およびガス圧低下が効果的に防止される。
【００２０】
一般に金属蒸気放電ランプは、ランプ点灯時に数百度に達する部分があること、さらに高温条件下でも良好な導電性を保つ必要があるので、高い導電性および耐熱性の両方の特性を兼ね備えるものを選び出すことが要求される。このような理由から従来では、外管内部の配線部材として鉄を主体とする金属部材、具体的には鉄、表面にニッケルメッキを施した鉄、または鉄とニッケルの合金等から選ばれた材料が用いられているが、発明者らによれば、鉄成分はランプ点灯時に外管内部に封入された高温の窒素ガスに起因して化学反応を起こし、窒化鉄を形成することを見出した。つまり窒素ガスは高温雰囲気中において、例えば石英製スリーブ等の石英ガラスに通常、含有されている水素と結合してアンモニアを形成することがあるが、この反応を１次反応として生じたアンモニアが、３５０℃より高温の雰囲気で加熱された状態で鉄と反応する２次反応を起こし、最終的に窒化鉄を生じる。窒化鉄が生じた場合、外管内部の窒素ガスが前記化学反応によって間接的に消費されるので、外管内圧が低下する。元来、窒素ガスはランプの放熱作用を促す性質があり、ランプ点灯時の温度を適正に保つ役目を果たすが、このように窒素ガスが不足して外管内圧が減少すると、発光管が過熱状態に陥り、発光管内の発光金属の蒸気圧が次第に上昇して、ランプの寿命特性に悪影響を与えてしまう。
【００２１】
本発明はまさにこのような問題に対応しており、スリーブ支持板３ａ、３ｂ、電力供給線４ａ、４ｂ、ステム線５ａ、５ｂおよびゲッター７の外枠部分を、いずれも外管８の内部の窒素ガス雰囲気に対して化学的に安定な１８−８ステンレス（ＳＵＳ３０４）を用いて作製することにより、不必要な窒素ガスとの反応を回避して、ランプ点灯時に発光管１内部の蒸気圧の上昇が良好に抑えられることとなり、この蒸気圧の上昇に伴う特性変化が防止できる。
【００２２】
また、本発明では寿命末期における発光管１のリーク不点灯時に高圧パルス電圧を負荷しても、マウント異極間での絶縁破壊を効果的に抑制することができる。鉄、表面にニッケルメッキを施した鉄、または鉄とニッケルの合金からなる金属部材を用いた従来では、３５０℃付近で窒素ガスに起因する反応が示されていたことから、本発明では窒素ガスに対して安定な１８−８ステンレス（ＳＵＳ３０４）からなる部材を利用し、かつ、外管内のランプ点灯中における温度が３５０℃を超える窒素ガス雰囲気中に露出される箇所に前記鉄、表面にニッケルメッキを施した鉄、または鉄とニッケルの合金からなる金属部材を設けないようにすることで、不要な化学反応の発生を回避している。
【００２３】
なお、ランプの種類によっては外管８の内部をフッ酸処理して磨りガラス加工する場合があるが、このときのフッ酸が残存することで不要な化学反応が発生し、外管内部の金属部材が腐蝕する可能性もある。このような問題に対しても、化学的に安定な金属部材を用いる本発明によれば、それなりの効果を望むことができる。
【００２４】
なお、本発明で用いることのできる外管８の内部の金属部材には、上記ＳＵＳ３０４の他、フェライト系、マルテンサイト系、オーステナイト系のように、クロムが１０ｗｔ％以上含まれている各種ステンレス鋼が挙げられる。これは母材が鉄や鋼であっても、クロムを上記含有量で添加されていれば前記不働態層が形成され、窒素ガスに対する耐食性が大幅に向上するためである。
【００２５】
２．実施例と性能実験
ここでは上記した本実施の形態１の金属蒸気放電ランプを実施例として作製し、これとともに、外管８内部において窒素ガスに触れる金属部材、すなわちスリーブ支持板３ａ、３ｂ、電力供給線４ａ、４ｂ、ステム線５ａ、５ｂ、およびゲッター７の外枠部分が全てニッケルメッキした鉄材料からなる比較例の金属蒸気放電ランプを作製した。各ランプの外管内には、冷間時（約２５℃）に３５０Ｔｏｒｒの窒素ガスを封入した。このような実施例と比較例のランプを各１０本ずつ用意し、経時的な特性変化を調べるために寿命（ライフ）実験を行った。
【００２６】
図３および図４は上記実験の結果をまとめたグラフを示している。
このうち一方の図３は、実施例と比較例のライフ中の色温度変化を示すグラフであり、他方の図４は、実施例と比較例のライフ中の管電圧上昇の程度を示すグラフである。なおここで言う「管電圧」とは、実際にランプに掛かっている電圧であり、ライフ中に発光管内の黒化により管内の蒸気圧が高くなったり、電極先端が変形・飛散して電極間距離が伸びるといった原因により、その電圧値が上昇する。この管電圧の上昇値が高いほど、ランプの早期立ち消えの原因となり得る。
【００２７】
図３および図４に示すグラフは、実施例および比較例のランプ各１０本ずつの値について平均値を算出し、プロットしてある。
図３に示すように、比較例がライフ中に色温度変化が比較的大きいのに対して、実施例はほとんど色温度変化が無いことが分かる。色温度の変化は発光管の加熱状態を示し、同時に各種発光金属の蒸発が正常に行われているかどうかを示すが、実施例では外管内部における窒素ガスが十分保たれているので、優れた色温度の性能が長期間にわたって発揮されたものと見ることができる。
【００２８】
また、図４に示すように、比較例がライフ中に管電圧の上昇が大きいのに対して、実施例では当該電圧の上昇がかなり抑制されていることが分かる。これは実施例において、外管内部に長期間にわたり豊富に存在する窒素ガスの放熱作用により発光管の温度が過度に高められることがなく、そのため管内の蒸気圧の上昇が抑制されるという効果や、封入発光金属と給電体もしくは発光管壁との反応も抑制される効果が奏され、管電圧上昇が抑えられたためであると考えられる。
【００２９】
ここで、実施例および比較例の各ランプを６０００時間にわたって点灯させたのち、発光管を強制的にリークさせ、ピーク電圧が５ｋＶのパルス電圧を印加した。すると、比較例のランプ１０本全てにおいて、マウント異極間でグロー放電が発生したのに対し、実施例のランプではいずれもマウント異極間での放電は観測されなかった。
【００３０】
さらに、６０００時間にわたって点灯させた実施例と比較例のランプについて、各５本ずつ冷間時の外管内の窒素ガス圧を測定すると、比較例は２８０±２０Ｔｏｒｒの範囲で減圧していたのに対し、実施例は３５０±２０Ｔｏｒｒの範囲内に留まっており、ライフ前とほぼ同程度の窒素ガス圧が維持されていることが分かった。
これらのことからも、比較例においてライフ中の色温度変化や管電圧の上昇が大きかったのは、配線部材の金属部材が外管内の窒素ガスに起因する化学反応を起こしたためであることが分かる。すなわち前記化学反応によって、比較例のランプ内では窒素ガスが減少して、窒素ガスによる発光管の放熱作用が機能しにくくなり、発光管温度が上昇して発光管内の蒸気圧が上がったものと考えられる。また外管内部の窒素ガスが減少し、内圧が下がると、マウント異極間での放電が生じやすくなるので、比較例でグロー放電が多発したものと考えられる。
【００３１】
３．その他の事項
実施の形態１では、発光管の材料にアルミナセラミックを用いる例を示したが、本発明はこれに限定するものではなく、石英等の材料を用いてもよい。
また、ランプ構造も実施の形態１し示したような有ステム構造や片口金型に限定せず、これ以外の形状（例えば両口金型、ショートアーク型など）のランプに適用してもよい。
【００３２】
さらに、本発明において外管８の内部で用いる材料としては、ステンレスＳＵＳ３０４を用いる例を示したが、これに限らず、３５０℃以上の高温条件下で窒素ガスと反応しにくい性質を有する、各種ステンレス、Ｍｏ（モリブデン）、Ｍｎ（マンガン）、Ｔａ（タンタル）、Ｗ（タングステン）、Ｔｉ（チタン）の中から選ばれた材料を、単体もしくは複合材料として用いることができる。
【００３３】
【発明の効果】
以上のことから明らかなように、本発明は内部に窒素ガスが封入されている外管内に、水銀、希ガスおよび発光金属が封入された発光管を備えた金属蒸気放電ランプであって、窒素と反応する金属部材を、前記外管内のランプ定常点灯中における温度が３５０℃を超える窒素ガス雰囲気中に露出される箇所に設けていない構成なので、外管内部の窒素ガスが化学反応により減少するのを抑制することができ、ライフ中の特性変化が少なく、安全な金属蒸気放電ランプを提供することができる。
【００３４】
また本発明は、内部に窒素ガスが封入された外管内に、発光管と、この発光管に電力を供給するための配線部材を含む金属部材が収納された金属蒸発放電ランプであって、前記金属部材は、窒素または窒素化合物に対して、３５０℃を超える高温条件下で化学的に安定な形態で構成されているものとすることもできる。このような構成によっても、上記とほぼ同様の効果が奏される。
【図面の簡単な説明】
【図１】実施の形態１の金属蒸気放電ランプの構成を示す部分的な正面断面図である。
【図２】発光管の詳細な構成を示す図である。
【図３】従来例および本発明の実施の形態１にかかる金属蒸気放電ランプのライフ中の色温度変化を示すグラフである。
【図４】従来例および本発明の実施の形態１にかかる金属蒸気放電ランプのライフ中の管電圧上昇を示すグラフである。
【符号の説明】
１　　　発光管
２　　　石英ガラス製スリーブ
３ａ、３ｂ　　スリーブ支持板
４ａ、４ｂ　　電流供給線
５ａ、５ｂ　　ステム線
６　　　ステム
７　　　ゲッター
８　　　外管
９　　　口金
１０　　本管部
１１ａ、１１ｂ　　　細管部
１２ａ、１２ｂ　　　電極コイル
１３ａ、１３ｂ　　　電極ピン
１４ａ、１４ｂ　　　導電性サーメット
１５ａ、１５ｂ　　　ガラスフリット
【図１】
2004006252.tif 000003
【図２】
2004006252.tif 000004
【図３】
2004006252.tif 000005
【図４】
2004006252.tif 000006